(57)【要約】【課題】電線挿入穴に挿入された電線の電気的特性をより簡易に測定する。【解決手段】コネクタ５０の電線挿入穴５２に挿入された電線５４の電気的特性測定を補助する電気測定補助具１０は、操作者が把持する把持部１２と、把持部１２から突出して設けられ、電線５４と電線挿入穴５２との間隙に挿入可能な径の導電性針状部材である接触針１４と、接触針１４と電気的に接続され、電気的特性を計測する電気測定器６０に接続可能な接続部２２と、を有する。【選択図】図３
2005345121.tif 000002
【特許請求の範囲】
【請求項１】
コネクタの電線挿入穴に挿入された電線の電気的特性測定を補助する電気測定補助具であって、
操作者が把持する把持部と、
把持部から突出して設けられ、電線と電線挿入穴との間隙に挿入可能な径の導電性針状部材である接触針と、
接触針と電気的に接続され、電気的特性を測定する電気測定器に接続可能な接続部と、
を有することを特徴とする電気測定補助具。
【請求項２】
請求項１に記載の電気測定補助具であって、さらに、
接触針を電線挿入穴に挿入したときに当該電線挿入穴の外側に延びる電線に、電気測定補助具を取り付ける電線取付具を有することを特徴とする電気測定補助具。
【請求項３】
請求項２に記載の電気測定補助具であって、
電線取付具は、電線を挟持する方向に弾性体により付勢された一対の挟持部材を有することを特徴とする電気測定補助具。
【請求項４】
請求項１から３のいずれか１項に記載の電気測定補助具であって、さらに、
接触針の先端が電線に接触する方向に、接触針を付勢する弾性部材を有することを特徴とする電気測定補助具。
【請求項５】
請求項１から４のいずれか１項に記載の電気測定補助具であって、
接触針の先端は他のところに比べて大径であることを特徴とする電気測定補助具。
【請求項６】
請求項１から５のいずれか１項に記載の電気測定補助具であって、
接触針は、電線に向かって傾斜していることを特徴とする電気測定補助具。
【発明の詳細な説明】
【技術分野】
【０００１】
本発明は、電線の電気的特性を測定する際に用いられる電気測定補助具に係り、特に、コネクタなどに設けられた電線挿入穴に挿入された電線の電気的特性測定に有用な電気測定補助具に関する。
【背景技術】
【０００２】
従来から、電線に流れる電気の特性、例えば、通電の有無や、電圧値、電流値などを測定するために種々の電気測定器が提案されている。このような電気測定器は、電気測定器本体と電線に接触するための接触棒や接触クリップなどを備えている（例えば、下記特許文献１、２など）。そして接触棒等を電線に接触させることにより電気的特性の測定を行う。
【０００３】
測定対象の電線の中には、昇降機の配線中継コネクタに接続された電線などもある。このような電線は、コネクタに設けられた電線挿入穴に挿入されており、電線挿入穴から突出している部分には、絶縁性の被膜が施されている。したがって、このような電線の電気的特性を測定する場合は、電線のうち、被膜が施されていない部分、電線挿入穴に挿入されている部分に電気測定器の接触棒などを接触させなければならない。
【０００４】
【特許文献１】特開２００１−３４３３９８号公報
【特許文献２】特開２０００−１３１３３９号公報
【発明の開示】
【発明が解決しようとする課題】
【０００５】
しかしながら、通常、電線挿入穴は、電線の径に応じて形成されており、電線と電線挿入穴との間隙は小さいことが多い。一方、汎用的な電気測定器の接触棒やクリップなどは、電線挿入穴内の電線に接触することが考慮されておらず、耐久性などを考慮して比較的大きく形成されている。したがって、このような接触棒やクリップを電線挿入穴と電線との間隙に挿入することは困難であり、無理に挿入しようとすると、電線や電線挿入穴を傷つけることがある。電気測定器の接触棒などの形状を小さくすることも考えられるが、電気測定器そのものを電線挿入穴内の電線という比較的限られた用途のために改良することは、コストや手間などの観点から望ましくない。
【０００６】
そこで、本発明では、電線挿入穴に挿入された電線についても簡易に電気的特性測定ができる電気測定補助具を提供することを目的とする。
【課題を解決するための手段】
【０００７】
本発明の電気測定補助具は、コネクタの電線挿入穴に挿入された電線の電気的特性測定を補助する電気測定補助具であって、操作者が把持する把持部と、把持部から突出して設けられ、電線と電線挿入穴との間隙に挿入可能な径の導電性針状部材である接触針と、接触針と電気的に接続され、電気的特性を測定する電気測定器に接続可能な接続部と、を有することを特徴とする。
【０００８】
好適な態様では、さらに、接触針を電線挿入穴に挿入したときに電線挿入穴の外側に延びる電線に、電気測定補助具を取り付ける電線取付具を有する。望ましくは、電線取付具は、電線を挟持する方向に弾性体により付勢された一対の挟持部材を有する。
【０００９】
他の好適な態様では、接触針の先端が電線に接触する方向に、接触針を付勢する弾性部材を有する。他の好適な態様では、接触針の先端は他のところに比べて大径である。他の好適な態様では、接触針は、電線に向かって傾斜している。
【発明の効果】
【００１０】
本発明によれば、接触針が、電線挿入穴と電線との間隙に挿入可能であるため、電気挿入穴の内部の電線と接触針とを容易に接触できる。そのため、電線挿入穴に挿入された電線についても簡易に電気的特性測定ができる。
【発明を実施するための最良の形態】
【００１１】
以下、本発明の実施の形態について図面を参照して説明する。図１に本発明の実施の形態である電気測定補助具１０の斜視図を、図２に図１におけるＡ−Ａ断面図を示す。
【００１２】
この電気測定補助具１０は、電線の電気測定を行う場合に用いられる補助具で、特に、電気コネクタに設けられた電線挿入穴に電線を挿入した状態のままで測定する場合に用いられる。
【００１３】
電気測定補助具１０は、操作者が把持する把持部１２と、電線を保持する電線取付具１６、および、電線に接触する接触針１４に大別される。
【００１４】
把持部１２は、操作者が把持するための略半円筒形状の内空部材で、その内部には、接触針１４の一部や、電気測定器との接続部２２などが設けられている。把持部１２の側面の途中には、接触針１４の操作レバー４２を収納するために突出部２０が形成されている。この突出部２０は、比較的肉薄に形成されており、操作者の押圧により弾性変形可能となっている。
【００１５】
また、把持部１２の先端付近には、電線取付具１６が取り付けられている。電線取付具１６は、電気測定補助具１０を測定対象の電線に取り付けるもので、把持部１２と直交する方向に設けられた鋏状部材である。電線取付具１６は、支点３３を中心として交差して設けられた一対の挟持部材２４，２６を有している。この一対の挟持部材２４，２６は、圧縮バネ２８で接続されており、一対の挟持部材２４，２６が閉じる方向（図１におけるａ方向）に付勢されている。
【００１６】
接触針１４は、電線挿入穴に挿入された電線に接触するもので、後述する接続部２２とケーブル４６を介して電気的に接続されている。この接触針１４は、把持部１２から突出する針状部材である針部３４と、把持部１２内に収納される基部３８とに大別される。
【００１７】
針部３４は、把持部１２の後端から突出する針状部材である。この針部３４は、電線と電線挿入穴との間隙にも挿入できるように十分に小さい径となっている。また、中間位置で角度がついており、電線に向かって傾斜している。針部先端３６は、電線に接触しやすいように、折り返されており、他の部分より大径となっている。
【００１８】
基部３８は、符号４０で示される支持位置４０で把持部１２に保持されており、基部３８に設けられた操作レバー４２を押圧することにより針部３４とともに支持位置４０を中心として可動できるようになっている。また、把持部１２の内側面に設けられた引張バネ４４により電線押圧方向（図面左側）に付勢されている。
【００１９】
基部３８の後端には上述した針部３４が、先端にはケーブル４６が接続されている。このケーブル４６は、電気測定器と接続する接続部２２に接続されている。接続部２２は、電気的特性を測定する電気測定器（例えば、電圧計など）の計測棒が挿脱自在の穴である。この接続部２２に、計測棒を挿入することにより、電気測定器と接触針１４とが電気的に接続される。
【００２０】
次に、この電気測定補助具１０を用いて、コネクタに取り付けられた電線の電気的特性の測定をする流れについて図３を用いて説明する。図３は、電気測定補助具１０を用いた電気的特性測定の状態を示す図である。
【００２１】
電気的特性の測定対象である電線５４は、コネクタ５０に設けられた電線挿入穴５２に挿入されている。この電線５４のうち、電線挿入穴５２から突出した部分は、絶縁材料からなる被膜５６で覆われている。一方、電線挿入穴５２の内部に挿入されている部分は、被膜５６が剥離されている。したがって、電線５４の電気的特性を測定する場合、電線５４のうち電線挿入穴５２に挿入されている部分５８と電気測定器６０（例えば、電流計など）とを電気的に接続する必要がある。
【００２２】
通常、電気測定器６０には、測定対象の電線５４に接触するための金属棒６４（計測棒）が設けられている。しかし、この計測棒６４は、耐久性などを考慮して比較的大径となっている。したがって、この計測棒６４を、電線挿入穴５２とこれに挿入されている電線５４との間隙に挿入することは困難な場合が多く、無理に計測棒６４を挿入した場合、電線５４や電線挿入穴５２を傷つけることが多い。
【００２３】
そこで、このような電線５４の電気的特性を測定する場合は、上述した電気測定補助具１０を用いる。操作者は、まず、把持部１２を手に持ち、測定したい電線５４近傍に電気測定補助具１０を持ってくる。
【００２４】
そして、接触針１４の針部先端３６を電線挿入穴に挿入する。このとき、操作者は突出部２０を押圧する。これにより、把持部１２内部の操作レバー４２を押圧され、針部先端３６が引張バネ４４の弾性力に抗して、電線５４と反対側（図２における右側）に移動する。その状態で、針部３４を確実に電線挿入穴５２に挿入すれば、突出部２０への押圧を解除する。これにより、針部先端３６は、引張バネ４４の弾性力より電線５４方向（図２における左側）に付勢される。
【００２５】
ここで、針部３４は、十分に小さい径で形成されているため、電線５４や電線挿入穴５２に過大な負荷をかけることなく挿入することができる。また、針部３４は引張バネ４４により電線５４方向に付勢されるとともに、針部先端３６が大径となっているため、針部先端３６が電線５４に接触しやすくなっている。さらに、針部３４は電線５４に向かって傾斜しているため、より、針部先端３６が電線５４に接触しやすくなっている。
【００２６】
また、挿入の際には、突出部２０を押圧することにより、針部先端３６と電線５４とを離しておくことができる。これにより、挿入の際に、針部先端３６で電線５４を擦ることがなく、電線５４の破損を防止できる。
【００２７】
針部先端３６を電線５４に接触させることができれば、電気測定補助具１０を電線取付具１６で電線に取り付ける。これは、次の手順で行う。まず、一対の挟持部材２４，２６を手で開方向（図１におけるｂ方向）に押し広げて挟持部材２４，２６の開角度を広げる。開角度を広げた状態で、挟持部材２４，２６を電線５４に押し当てる。そして、挟持部材２４，２６から手を外せば、一対の挟持部材２４，２６には、圧縮バネ２８により閉方向（図１におけるａ方向）の力がかかる。これにより、一対の挟持部材２４，２６は電線５４を挟持した状態となり、電気測定補助具１０は電線５４に取り付けられる。
【００２８】
次に、電気測定器６０の計測棒６４を、接続部２２に挿入する。これにより計測棒６４と接触針１４とが電気的に接続、ひいては、電線５４と電気測定器６０とが電気的に接続される。これにより、電気測定器６０で電線５４の電気的特性測定が可能となる。また、この計測棒６４を挿入する際には、電気測定補助具１０は、電線５４に取り付けられている。したがって、計測棒６４の挿入操作の際には、操作者は電気測定補助具１０から両手を離してもよく、より簡易に計測棒６４の挿入操作ができる。つまり、電線取付具１６を設けることにより、簡易に電気測定器６０との接続操作ができる。
【００２９】
なお、計測棒６４を挿入した時点では、接触針１４の針部先端３６と電線５４との接触が不十分となっている場合がある。これは、電線取付具１６を電線５４に取り付ける操作をしている途中で、電気測定補助具１０全体の姿勢が動くことがあるからである。その場合は、適宜、電気測定補助具１０の姿勢を手で調整し、確実に針部先端３６と電線５４とを接触させる。上述したように針部３４は、引張バネ４４により電線５４方向に付勢されているため、多少の姿勢調整で針部先端３６を電線５４に接触させることができる。
【００３０】
電気的特性の測定ができれば、再度、一対の挟持部材２４，２６を手で開方向に押し広げ、電線５４から電線取付具１６を取り外す。そして、把持部１２の突出部２０を手で押し、針部３４を引張バネ４４の付勢力に抗して電線５４から離れる方向に可動させる。そして、針部３４と電線５４とが離れた状態で、電気測定補助具１０全体を持ち上げ、電線挿入穴５２から針部３４を抜き取る。このように、突出部２０を押圧し、針部３４と電線５４とを離してから、針部３４を引き抜くことにより、針部先端３６による電線５４の引っ掻きを防止できる。
【００３１】
以上、説明したように、本実施の形態の電気測定補助具１０を用いれば、簡易に電線挿入穴５２に挿入された電線５４の電気的特性を測定することができる。また、測定時に、電線５４や電線挿入穴５２を傷つけることがない。さらに、接触針１４を簡単な操作で可動できる構成としているため、電線挿入穴５２への挿脱時に、接触針１４による電線５４の引っ掻きを防止できる。
【００３２】
なお、電気測定補助具１０を構成する各部材の形状、材質などは、その機能を損なわない範囲であれば、適宜、変更してもよい。
【図面の簡単な説明】
【００３３】
【図１】本発明の実施の形態である電気測定補助具の斜視図である。
【図２】図１におけるＡ−Ａ断面図である。
【図３】電気測定補助具を用いての電気的特性測定の状態を示す図である。
【符号の説明】
【００３４】
１０  電気測定補助具、１２  把持部、１４  接触針、１６  電線取付具、２２  接続部、２４，２６  挟持部材、３６  針部先端、５０  コネクタ、５２  電線挿入穴、５４  電線、６０  電気測定器。
【図１】
2005345121.tif 000003
【図２】
2005345121.tif 000004
【図３】
2005345121.tif 000005